(57)【要約】【課題】本発明は、無線信号、光信号及びその伝送路の評価を行うことができる光無線システム評価装置及び光無線システム評価方法の提供を目的とする。【解決手段】本願発明の光無線システム評価装置１０１は、パルス光源１１と、被測定光ファイバ１００からの光信号及びパルス光が入力される光入出力部１３と、方向性結合器１４と、波長可変光フィルタ１５と、ＯＥ変換器１６と、無線信号を受信したアンテナ受信信号が入力されるアンテナ受信信号入力部４０と、信号切り替え部２１と、測定部１７と、信号処理部１８と、を備え、無線信号、光信号及びその伝送路となる被測定光ファイバ１００の評価を１台の光無線システム評価装置１０１で行うこととした。【選択図】図１
2011158445.tif 000002
【特許請求の範囲】
【請求項１】
被測定光ファイバで伝送される光信号とは異なる波長のパルス光を出力するパルス光源（１１）と、
前記パルス光源からのパルス光を前記被測定光ファイバに出力し、前記被測定光ファイバからの前記光信号及び前記パルス光が入力される光入出力部（１３）と、
前記パルス光源の出力するパルス光を前記光入出力部に出力し、前記光入出力部に入力される前記光信号及び前記パルス光を分岐する方向性結合器（１４）と、
前記方向性結合器の分岐する前記光信号及び前記パルス光が入力され、前記光信号又は前記パルス光のいずれかを選択出力する波長可変光フィルタ（１５）と、
前記波長可変光フィルタの選択出力する前記光信号を光電変換し、前記波長可変光フィルタの選択出力する前記パルス光を光電変換するＯＥ変換器（１６）と、
無線信号を受信して得られるアンテナ受信信号が入力されるアンテナ受信信号入力部（４０）と、
前記アンテナ受信信号入力部からの前記アンテナ受信信号及び前記ＯＥ変換器からの前記光信号の光電変換信号が入力され、前記アンテナ受信信号又は前記光信号の光電変換信号のいずれかを選択出力する信号切り替え部（２１）と、
前記ＯＥ変換器からの前記パルス光の光電変換信号の時間波形を測定し、前記信号切り替え部の選択出力する前記アンテナ受信信号の周波数成分を測定し、前記信号切り替え部の選択出力する前記光信号の光電変換信号の周波数成分を測定する測定部（１７）と、
前記測定部の測定する前記パルス光の光電変換信号の時間波形を用いて前記被測定光ファイバでの光損失を求め、前記測定部の測定する前記アンテナ受信信号の周波数成分を用いて前記無線信号のスペクトラムを求め、前記測定部の測定する前記光信号の光電変換信号の周波数成分を用いて前記光信号のスペクトラムを求める信号処理部（１８）と、
を備える光無線システム評価装置。
【請求項２】
前記測定部は、前記ＯＥ変換器からの前記パルス光の光電変換信号を任意の時間間隔でサンプリングすることで、前記パルス光の光電変換信号の前記パルス光源における前記パルス光の発生に同期したタイミングの時間波形を測定する時間波形測定部（１９）を備え、
前記信号処理部は、前記時間波形測定部の測定する前記パルス光の光電変換信号の時間波形を用いて前記被測定光ファイバでの光損失を求める
ことを特徴とする請求項１に記載の光無線システム評価装置。
【請求項３】
前記測定部は、前記信号切り替え部の選択出力する前記アンテナ受信信号の信号強度を任意の周波数間隔で検出して周波数成分を測定し、前記信号切り替え部の選択出力する前記光信号の光電変換信号の信号強度を任意の周波数間隔で検出して周波数成分を測定する周波数成分測定部（２０）を備え、
前記信号処理部は、前記周波数成分測定部の測定する前記アンテナ受信信号の周波数成分を用いて前記無線信号のスペクトラムを求め、前記周波数成分測定部の測定する前記光信号の光電変換信号の周波数成分を用いて前記光信号のスペクトラムを求める
ことを特徴とする請求項１又は２に記載の光無線システム評価装置。
【請求項４】
前記信号処理部は、前記無線信号のスペクトラムと前記光信号のスペクトラムを比較する
ことを特徴とする請求項１から３のいずれかに記載の光無線システム評価装置。
【請求項５】
前記測定部は、前記信号切り替え部の選択出力する前記アンテナ受信信号のベースバンドＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号の周波数成分を測定し、前記信号切り替え部の選択出力する前記光信号の光電変換信号のベースバンドＯＦＤＭ信号の周波数成分を測定するベースバンド信号測定部（２２）を備え、
前記信号処理部は、前記ベースバンド信号測定部の測定する前記アンテナ受信信号のベースバンドＯＦＤＭ信号の周波数成分を用いて前記無線信号のベースバンドＯＦＤＭ信号のスペクトラムを求め、前記ベースバンド信号測定部の測定する前記光信号の光電変換信号のベースバンドＯＦＤＭ信号の周波数成分を用いて前記光信号のベースバンドＯＦＤＭ信号のスペクトラムを求める
ことを特徴とする請求項１から４のいずれかに記載の光無線システム評価装置。
【請求項６】
前記ベースバンド信号測定部は、
データのサンプリングのタイミングを示す同期信号を出力する同期信号発生部（２６）と、
前記信号切り替え部の選択出力する前記アンテナ受信信号をベースバンドＯＦＤＭ信号に変換して出力し、前記信号切り替え部の選択出力する前記光信号の光電変換信号をベースバンドＯＦＤＭ信号に変換して出力するダウンコンバート部（２３）と、
前記ダウンコンバート部の出力する前記アンテナ受信信号のベースバンドＯＦＤＭ信号又は前記光信号の光電変換信号のベースバンドＯＦＤＭ信号を、前記同期信号発生部からの前記同期信号に従ったタイミングでサンプリングしてデジタル信号に変換して出力するＡＤ変換器（２４）と、
前記ＡＤ変換器の出力するデジタル信号をフーリエ変換して周波数領域に変換してサブキャリアの周波数ごとに分離する周波数変換部（２５）と、
を備える
ことを特徴とする請求項５に記載の光無線システム評価装置。
【請求項７】
前記信号処理部は、前記無線信号のベースバンドＯＦＤＭ信号のスペクトラムと前記光信号のベースバンドＯＦＤＭ信号のスペクトラムを比較する
ことを特徴とする請求項５又は６に記載の光無線システム評価装置。
【請求項８】
無線信号を受信し、受信したアンテナ受信信号の周波数成分を測定部で測定し、信号処理部で前記無線信号のスペクトラムを求めるととともに、
被測定光ファイバで伝送される光信号を光電変換部で光電変換して周波数成分を前記測定部で測定し、前記信号処理部で前記光信号のスペクトラムを求めるととともに、
前記光信号とは異なる波長のパルス光を前記被測定光ファイバに出力し、前記被測定光ファイバからの前記パルス光を前記光電変換部で光電変換して前記パルス光の発生に同期したタイミングの時間波形を前記測定部で測定し、前記信号処理部で前記被測定光ファイバでの光損失を求める測定手順（Ｓ１０１）
を有する光無線システム評価方法。
【請求項９】
前記測定手順で求めた前記無線信号のスペクトラムと前記光信号のスペクトラムを前記信号処理部で比較する受信信号比較手順（Ｓ１０２）を、
前記測定手順の後にさらに有する
ことを特徴とする請求項８に記載の光無線システム評価方法。
【請求項１０】
前記測定手順において、
前記アンテナ受信信号を前記測定部でベースバンドＯＦＤＭ信号に変換してデジタル信号に変換し、前記測定部で周波数領域に変換してサブキャリアの周波数ごとに分離し、前記信号処理部で前記無線信号のベースバンドＯＦＤＭ信号のスペクトラムを求めるととともに、
前記被測定光ファイバからの前記光信号を前記光電変換部で光電変換し、光電変換した信号を前記測定部でベースバンドＯＦＤＭ信号に変換してデジタル信号に変換し、前記測定部で周波数領域に変換してサブキャリアの周波数ごとに分離し、前記信号処理部で前記光信号のベースバンドＯＦＤＭ信号のスペクトラムを求める
ことを特徴とする請求項８又は９に記載の光無線システム評価方法。
【請求項１１】
前記無線信号のベースバンドＯＦＤＭ信号のスペクトラムと前記光信号のベースバンドＯＦＤＭ信号のスペクトラムを前記信号処理部で比較するベースバンド信号比較手順（Ｓ１０３）を、
前記測定手順の後であって前記受信信号比較手順の前、後又は同時にさらに有する
ことを特徴とする請求項１０に記載の光無線システム評価方法。
【発明の詳細な説明】
【技術分野】
【０００１】
本発明は、光無線システム評価装置及び光無線システム評価方法に関し、特にＲＦ信号、光信号及びその伝送路の評価を行うための装置及び方法に関する。
【背景技術】
【０００２】
ユビキタスネットワークを目指して無線通信は急速に進歩しているが、ビル内や地下街などの無線信号が届き難い不感地が発生する問題があった。この問題を解決するために、ＲＯＦ（Ｒａｄｉｏ  Ｏｎ  Ｆｉｂｅｒ）システムが提案されている（例えば、特許文献１参照。）。ＲＯＦシステムは、無線通信用に変調されたＲＦ（Ｒａｄｉｏ  Ｆｒｅｑｕｅｎｃｙ）信号で光信号を変調してファイバで伝送する。
【先行技術文献】
【特許文献】
【０００３】
【特許文献１】特開２００８−１３５９５５号公報
【発明の概要】
【発明が解決しようとする課題】
【０００４】
ＲＯＦシステムの保守又は管理を行うためには、無線信号の評価が行えるだけでなく、光信号及びその伝送路の評価ができなければならない。しかし、無線信号、光信号及びその伝送路のすべての評価が行える装置はなかった。
【０００５】
そこで、本発明は、無線信号、光信号及びその伝送路の評価を行うことができる光無線システム評価装置及び光無線システム評価方法の提供を目的とする。
【課題を解決するための手段】
【０００６】
上記目的を達成するために、本願発明の光無線システム評価装置及び光無線システム評価方法は、無線信号、光信号及びその伝送路の評価を１台の装置で行うこととした。
【０００７】
具体的には、本願発明の光無線システム評価装置は、被測定光ファイバで伝送される光信号とは異なる波長のパルス光を出力するパルス光源（１１）と、前記パルス光源からのパルス光を前記被測定光ファイバに出力し、前記被測定光ファイバからの前記光信号及び前記パルス光が入力される光入出力部（１３）と、前記パルス光源の出力するパルス光を前記光入出力部に出力し、前記光入出力部に入力される前記光信号及び前記パルス光を分岐する方向性結合器（１４）と、前記方向性結合器の分岐する前記光信号及び前記パルス光が入力され、前記光信号又は前記パルス光のいずれかを選択出力する波長可変光フィルタ（１５）と、前記波長可変光フィルタの選択出力する前記光信号を光電変換し、前記波長可変光フィルタの選択出力する前記パルス光を光電変換するＯＥ変換器（１６）と、無線信号を受信して得られるアンテナ受信信号が入力されるアンテナ受信信号入力部（４０）と、前記アンテナ受信信号入力部からの前記アンテナ受信信号及び前記ＯＥ変換器からの前記光信号の光電変換信号が入力され、前記アンテナ受信信号又は前記光信号の光電変換信号のいずれかを選択出力する信号切り替え部（２１）と、前記ＯＥ変換器からの前記パルス光の光電変換信号の時間波形を測定し、前記信号切り替え部の選択出力する前記アンテナ受信信号の周波数成分を測定し、前記信号切り替え部の選択出力する前記光信号の光電変換信号の周波数成分を測定する測定部（１７）と、前記測定部の測定する前記パルス光の光電変換信号の時間波形を用いて前記被測定光ファイバでの光損失を求め、前記測定部の測定する前記アンテナ受信信号の周波数成分を用いて前記無線信号のスペクトラムを求め、前記測定部の測定する前記光信号の光電変換信号の周波数成分を用いて前記光信号のスペクトラムを求める信号処理部（１８）と、を備える。
【０００８】
アンテナ受信信号入力部、信号切り替え部、測定部及び信号処理部を備えるため、無線信号の評価を行うことができる。また、光入出力部、波長可変光フィルタ、ＯＥ変換器、測定部及び信号処理部を備えるため、光信号の評価を行うことができる。また、光入出力部、パルス光源、波長可変光フィルタ、ＯＥ変換器、信号切り替え部、測定部及び信号処理部を備えるため、光信号の伝送路の評価を行うことができる。したがって、本願発明の光無線システム評価装置は、無線信号、光信号及びその伝送路の評価を１台の装置で行うことができる。
【０００９】
本願発明の光無線システム評価装置では、前記測定部は、前記ＯＥ変換器からの前記パルス光の光電変換信号を任意の時間間隔でサンプリングすることで、前記パルス光の光電変換信号の前記パルス光源における前記パルス光の発生に同期したタイミングの時間波形を測定する時間波形測定部（１９）を備え、前記信号処理部は、前記時間波形測定部の測定する前記パルス光の光電変換信号の時間波形を用いて前記被測定光ファイバでの光損失を求めてもよい。
測定部が時間波形測定部を備えるため、パルス光の発生と同期したタイミングでパルス光の光電変換信号レベルをサンプリングし、パルス光を発生してから戻ってくるまでの時間を測定することで、被測定光ファイバ中における任意の位置でのパルス光の反射を測定することができる。これにより、被測定光ファイバでの光損失を求めることができる。
【００１０】
本願発明の光無線システム評価装置では、前記測定部は、前記信号切り替え部の選択出力する前記アンテナ受信信号の信号強度を任意の周波数間隔で検出して周波数成分を測定し、前記信号切り替え部の選択出力する前記光信号の光電変換信号の信号強度を任意の周波数間隔で検出して周波数成分を測定する周波数成分測定部（２０）を備え、前記信号処理部は、前記周波数成分測定部の測定する前記アンテナ受信信号の周波数成分を用いて前記無線信号のスペクトラムを求め、前記周波数成分測定部の測定する前記光信号の光電変換信号の周波数成分を用いて前記光信号のスペクトラムを求めてもよい。
測定部が周波数成分測定部を備えるため、無線信号及び光信号のスペクトラムを求めることができる。
【００１１】
本願発明の光無線システム評価装置では、前記信号処理部は、前記無線信号のスペクトラムと前記光信号のスペクトラムを比較してもよい。
本発明により、光信号から無線信号に変換後の光無線システムの評価を行うことができる。
【００１２】
本願発明の光無線システム評価装置では、前記測定部は、前記信号切り替え部の選択出力する前記アンテナ受信信号のベースバンドＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号の周波数成分を測定し、前記信号切り替え部の選択出力する前記光信号の光電変換信号のベースバンドＯＦＤＭ信号の周波数成分を測定するベースバンド信号測定部（２２）を備え、前記信号処理部は、前記ベースバンド信号測定部の測定する前記アンテナ受信信号のベースバンドＯＦＤＭ信号の周波数成分を用いて前記無線信号のベースバンドＯＦＤＭ信号のスペクトラムを求め、前記ベースバンド信号測定部の測定する前記光信号の光電変換信号のベースバンドＯＦＤＭ信号の周波数成分を用いて前記光信号のベースバンドＯＦＤＭ信号のスペクトラムを求めてもよい。
測定部がベースバンド信号測定部を備えるため、無線信号及び光信号のベースバンドＯＦＤＭ信号の評価を行うことができる。
【００１３】
本願発明の光無線システム評価装置では、前記ベースバンド信号測定部は、データのサンプリングのタイミングを示す同期信号を出力する同期信号発生部（２６）と、前記信号切り替え部の選択出力する前記アンテナ受信信号をベースバンドＯＦＤＭ信号に変換して出力し、前記信号切り替え部の選択出力する前記光信号の光電変換信号をベースバンドＯＦＤＭ信号に変換して出力するダウンコンバート部（２３）と、前記ダウンコンバート部の出力する前記アンテナ受信信号のベースバンドＯＦＤＭ信号又は前記光信号の光電変換信号のベースバンドＯＦＤＭ信号を、前記同期信号発生部からの前記同期信号に従ったタイミングでサンプリングしてデジタル信号に変換して出力するＡＤ変換器（２４）と、前記ＡＤ変換器の出力するデジタル信号をフーリエ変換して周波数領域に変換してサブキャリアの周波数ごとに分離する周波数変換部（２５）と、を備えてもよい。
ベースバンド信号測定部が同期信号発生部、ダウンコンバート部、ＡＤ変換器及び周波数変換部を備えることで、無線信号及び光信号のベースバンドＯＦＤＭ信号のスペクトラムを求めることができる。
【００１４】
本願発明の光無線システム評価装置では、前記信号処理部は、前記無線信号のベースバンドＯＦＤＭ信号のスペクトラムと前記光信号のベースバンドＯＦＤＭ信号のスペクトラムを比較してもよい。
本発明により、光信号から無線信号に変換後のベースバンドＯＦＤＭ信号の評価を行うことができる。
【００１５】
具体的には、本願発明の光無線システム評価方法は、無線信号を受信し、受信したアンテナ受信信号の周波数成分を測定部で測定し、信号処理部で前記無線信号のスペクトラムを求めるととともに、被測定光ファイバで伝送される光信号を光電変換部で光電変換して周波数成分を前記測定部で測定し、前記信号処理部で前記光信号のスペクトラムを求めるととともに、前記光信号とは異なる波長のパルス光を前記被測定光ファイバに出力し、前記被測定光ファイバからの前記パルス光を前記光電変換部で光電変換して前記パルス光の発生に同期したタイミングの時間波形を前記測定部で測定し、前記信号処理部で前記被測定光ファイバでの光損失を求める測定手順（Ｓ１０１）を有する。
【００１６】
測定手順を実行することで、共通の光電変換部、測定部及び信号処理部を用いて、無線信号及び光信号のスペクトラムを求めるとともに、被測定光ファイバでの光損失を求めることができる。したがって、本願発明の光無線システム評価方法は、無線信号、光信号及びその伝送路の評価を１台の装置で行うことができる。
【００１７】
本願発明の光無線システム評価方法では、前記測定手順で求めた前記無線信号のスペクトラムと前記光信号のスペクトラムを前記信号処理部で比較する受信信号比較手順（Ｓ１０２）を、前記測定手順の後にさらに有してもよい。
本発明により、光信号から無線信号に変換後の光無線システムの評価を行うことができる。
【００１８】
本願発明の光無線システム評価方法では、前記測定手順において、前記アンテナ受信信号を前記測定部でベースバンドＯＦＤＭ信号に変換してデジタル信号に変換し、前記測定部で周波数領域に変換してサブキャリアの周波数ごとに分離し、前記信号処理部で前記無線信号のベースバンドＯＦＤＭ信号のスペクトラムを求めるととともに、前記被測定光ファイバからの前記光信号を前記光電変換部で光電変換し、光電変換した信号を前記測定部でベースバンドＯＦＤＭ信号に変換してデジタル信号に変換し、前記測定部で周波数領域に変換してサブキャリアの周波数ごとに分離し、前記信号処理部で前記光信号のベースバンドＯＦＤＭ信号のスペクトラムを求めてもよい。
測定手順において、共通の測定部を用いて、無線信号及び光信号のベースバンドＯＦＤＭ信号の評価を行うことができる。
【００１９】
本願発明の光無線システム評価方法では、前記無線信号のベースバンドＯＦＤＭ信号のスペクトラムと前記光信号のベースバンドＯＦＤＭ信号のスペクトラムを前記信号処理部で比較するベースバンド信号比較手順（Ｓ１０３）を、前記測定手順の後であって前記受信信号比較手順の前、後又は同時にさらに有してもよい。
本発明により、光信号から無線信号に変換後のベースバンドＯＦＤＭ信号の評価を行うことができる。
【００２０】
なお、上記各発明は、可能な限り組み合わせることができる。
【発明の効果】
【００２１】
本発明によれば、無線信号、光信号及びその伝送路の評価を行うことができる光無線システム評価装置及び光無線システム評価方法を提供することができる。
【図面の簡単な説明】
【００２２】
【図１】実施形態１に係る光無線システム評価装置の第１例を示す。
【図２】光無線システムの一例を示す。
【図３】表示部の表示例であり、（ａ）は被測定光ファイバ１００での光損失を示し、（ｂ）は無線信号又は光信号のスペクトラムを示す。
【図４】実施形態１に係る光無線システム評価方法の一例を示すフローチャートである。
【図５】実施形態１に係る光無線システム評価装置の第２例を示す。
【図６】実施形態２に係る光無線システム評価装置の第１例を示す。
【図７】ベースバンド信号測定部の構成の一例を示す。
【図８】実施形態２に係る光無線システム評価方法の一例を示すフローチャートである。
【図９】実施形態２に係る光無線システム評価装置の第２例を示す。
【発明を実施するための形態】
【００２３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２４】
（実施形態１）
図１に、実施形態１に係る光無線システム評価装置の第１例を示す。光無線システム評価装置１０１は、ＲＯＦなどの光無線システムの評価を行う。
【００２５】
図２に、光無線システムの一例を示す。図２に示す光無線システムは、地上デジタル放送のＭ（Ｍは正の整数。）チャンネルのデータをフロア９１の光コネクタ５１―１〜５１―Ｍまで光信号で伝送する。そして、光コネクタ５１―１〜５１―Ｍからの各光信号をＯＥ５２―１〜５２―Ｍで電気信号に変換し、ＯＥ５２―１〜５２―Ｍからの各電気信号をＰＡ５３―１〜５３―Ｍで増幅し、ＰＡ５３―１〜５３―Ｍからの信号を無線信号で放射する。これにより、地上デジタル放送の各チャンネルのデータを、チャンネルごとに異なる無線信号で放射する。
【００２６】
そこで、光無線システム評価装置１０１は、光無線システムの評価を行うために、無線信号のスペクトラム、光信号のスペクトラム及び被測定光ファイバ１００の光損失を１台の装置で求める。
【００２７】
図１に示す光無線システム評価装置１０１は、パルス光源１１と、パルス信号発生器１２と、光入出力部１３と、方向性結合器１４と、波長可変光フィルタ１５と、ＯＥ変換器１６と、アンテナ３０と、アンテナ受信信号入力部４０と、信号切り替え部２１と、測定部１７と、信号処理部１８と、測定データメモリ３２と、表示部３１と、を備える。
【００２８】
パルス光源１１は、被測定光ファイバ１００で伝送される光信号とは異なる波長のパルス光を出力する。パルス信号発生器１２は、パルス光源１１をパルス変調するためのパルス信号を発生し、パルス光源１１及びサンプリングクロック生成部４１に出力する。光入出力部１３は、パルス光源１１からのパルス光を被測定光ファイバ１００に出力する。被測定光ファイバ１００を伝搬するパルス光は被測定光ファイバ１００内で反射され、反射されたパルス光が光入出力部１３に入力される。また、被測定光ファイバ１００からの光信号が光入出力部１３に入力される。反射されたパルス光は、後方散乱光とフレネル光のいずれであってもよい。
【００２９】
方向性結合器１４は、パルス光源１１の出力するパルス光を光入出力部１３に出力し、光入出力部１３に入力される光信号及びパルス光を波長可変光フィルタ１５に分岐する。方向性結合器１４の分岐する光信号及びパルス光は波長可変光フィルタ１５に入力される。波長可変光フィルタ１５は、透過させる波長が可変であり、光信号又はパルス光のいずれかを選択出力する。
【００３０】
波長可変光フィルタ１５は、パルス光と光信号とを波長分離する目的で配置する。パルス光と光信号とを波長分離することで、光信号が流れているインサービスの状態でも光パルスを用いたＯＴＤＲ（Ｏｐｔｉｃａｌ  Ｔｉｍｅ−Ｄｏｍａｉｎ  Ｒｅｆｌｅｃｔｏｍｅｔｅｒ）測定が可能になる。なお、インサービスでのＯＴＤＲ測定が不要な場合には、ＯＴＤＲ測定時の波長と光信号の波長は同じでもよい。
【００３１】
ＯＥ変換器１６は、波長可変光フィルタ１５の選択出力する光を光電変換する。例えば、波長可変光フィルタ１５がパルス光を選択出力すれば、ＯＥ変換器１６ａは、パルス光を光電変換して時間波形測定部１９に出力する。波長可変光フィルタ１５が光信号を選択出力すれば、ＯＥ変換器１６ｂは、光信号を光電変換して信号切り替え部２１に出力する。
【００３２】
ＯＥ変換器１６は、例えば、ＰＤ（Ｐｈｏｔｏｄｉｏｄｅ）又はＡＰＤ（Ａｖａｌａｎｃｈｅ  Ｐｈｏｔｏｄｉｏｄｅ）である。ＡＰＤの場合には、時間波形の測定と周波数成分の測定とで逆バイアス電圧の値を可変できるようにする。例えば、時間波形の測定を行う場合には逆バイアスを高く設定し、周波数成分の測定の場合には逆バイアスを低く設定する。
【００３３】
アンテナ３０は、無線信号を受信し、受信した信号をアンテナ受信信号としてアンテナ受信信号入力部４０に出力する。これにより、アンテナ受信信号入力部４０に、無線信号を受信して得られるアンテナ受信信号が入力される。アンテナ受信信号入力部４０からのアンテナ受信信号は、信号切り替え部２１に入力される。
【００３４】
信号切り替え部２１には、アンテナ受信信号及び光信号の光電変換信号の両方が入力され、アンテナ受信信号又は光信号の光電変換信号のいずれかを選択出力する。
【００３５】
測定部１７は、ＯＥ変換器１６ａからのパルス光の光電変換信号の時間波形を測定し、信号切り替え部２１の選択出力するアンテナ受信信号の周波数成分を測定する。また、測定部１７は、信号切り替え部２１の選択出力する光信号の光電変換信号の周波数成分を測定する。測定部１７は、例えば、時間波形測定部１９と、サンプリングクロック生成部４１と、周波数成分測定部２０と、を備える。時間波形測定部１９は、例えば、ＡＤ変換器２７を備える。周波数成分測定部２０は、例えば、スペクトラム測定部２８と、ＡＤ変換器２９と、を備える。
【００３６】
ＡＤ変換器２７は、ＯＥ変換器１６ａからのパルス光の光電変換信号を任意の時間間隔でサンプリングする。サンプリングクロック生成部４１は、パルス信号発生器１２からのパルス信号に同期したタイミングでＡＤ変換器２７を駆動する。ＡＤ変換器２７は、パルス光の発生と同期したタイミングで、パルス光の光電変換信号レベルをサンプリングする。これにより、時間波形測定部１９は、パルス光源１１におけるパルス光の発生に同期したタイミングの時間波形を測定する。
【００３７】
信号切り替え部２１がアンテナ受信信号を選択出力する場合、スペクトラム測定部２８は、信号切り替え部２１の選択出力するアンテナ受信信号の信号強度を任意の周波数間隔で検出する。ＡＤ変換器２９は、スペクトラム測定部２８の検出するアンテナ受信信号の信号強度をサンプリングする。これにより、周波数成分測定部２０は、アンテナ受信信号の周波数成分を測定する。
【００３８】
信号切り替え部２１が光信号の光電変換信号を選択出力する場合、スペクトラム測定部２８は、信号切り替え部２１の選択出力する光信号の光電変換信号の信号強度を任意の周波数間隔で検出する。ＡＤ変換器２９は、スペクトラム測定部２８の検出する光信号の光電変換信号の信号強度をサンプリングする。これにより、周波数成分測定部２０は、光信号の光電変換信号の周波数成分を測定する。
【００３９】
信号処理部１８は、測定部１７の測定データを解析する。例えば、時間波形測定部１９がパルス光の光電変換信号の時間波形を測定する場合、信号処理部１８は、時間波形測定部１９の測定するパルス光の光電変換信号の時間波形を用いてＯＴＤＲ測定を行う。例えば、パルス光の発生と同期したタイミングで、パルス光の光電変換信号レベルをサンプリングし、パルス光を発生してから戻ってくるまでの時間を測定する。光ファイバ中における任意の位置でのパルス光の反射光を測定することで、被測定光ファイバ１００での光損失を求め、測定データメモリ３２に出力する。
【００４０】
周波数成分測定部２０が光信号の光電変換信号の周波数成分を測定する場合、信号処理部１８は、周波数成分測定部２０の測定する光信号の光電変換信号の周波数成分を用いて光信号のスペクトラムを求め、測定データメモリ３２に出力する。周波数成分測定部２０がアンテナ受信信号の周波数成分を測定する場合、信号処理部１８は、周波数成分測定部２０の測定するアンテナ受信信号の周波数成分を用いて無線信号のスペクトラムを求め、測定データメモリ３２に出力する。
【００４１】
表示部３１は、測定データメモリ３２に記録されているデータを読み出し、被測定光ファイバ１００での光損失、無線信号のスペクトラム又は光信号のスペクトラムを表示する。図３は、表示部の表示例であり、（ａ）は被測定光ファイバ１００での光損失を示し、（ｂ）は無線信号又は光信号のスペクトラムを示す。
【００４２】
信号処理部１８が被測定光ファイバ１００での光損失を求める場合、時間波形測定部１９がパルス光の時間波形を測定するため、図３（ａ）に示すように、表示部３１は、光無線システム評価装置１０１からの距離に対する被測定光ファイバ１００での光損失を表示する。また、信号処理部１８が光信号のスペクトラムを求める場合、図３（ｂ）に示すように、表示部３１は、光信号のスペクトラムを表示する。また、信号処理部１８が無線信号のスペクトラムを求める場合、図３（ｂ）に示すように、表示部３１は、無線信号のスペクトラムを表示する。
【００４３】
信号処理部１８は、無線信号のスペクトラムと光信号のスペクトラムを比較して測定データメモリ３２に出力してもよい。この場合、表示部３１は、無線信号のスペクトラムと光信号のスペクトラムの比較結果を表示する。例えば、表示部３１は、無線信号のスペクトラムと光信号のスペクトラムの両方を表示してもよいし、無線信号のスペクトラムと光信号のスペクトラムの差又は比を表示してもよい。これにより、図２に示すＯＥ５２−１〜５２−Ｍからアンテナ３０で無線信号を受信するまでの間における光無線システムの評価を行うことができる。
【００４４】
図４は、実施形態１に係る光無線システム評価方法の一例を示すフローチャートである。実施形態１に係る光無線システム評価方法は、測定手順Ｓ１０１と、受信信号比較手順Ｓ１０２と、を順に有する。測定手順Ｓ１０１では、被測定光ファイバ１００での光損失を求めるとともに、無線信号及び光信号のスペクトラムを求める。
【００４５】
測定手順Ｓ１０１において無線信号のスペクトラムを求める手順について説明する。アンテナ受信信号入力部４０からのアンテナ受信信号が周波数成分測定部２０に入力されるように図１に示す信号切り替え部２１を設定する。この状態で、図２に示すフロア９１内で光無線システム評価装置１０１を移動させながら、無線信号をアンテナ３０で受信し、受信したアンテナ受信信号の周波数成分を周波数成分測定部２０で測定し、無線信号のスペクトラムを信号処理部１８で求める。これにより、光無線システム評価装置１０１は、フロア９１内での無線信号の電界強度の測定を行うことができる。
【００４６】
測定手順Ｓ１０１において光信号のスペクトラムを求める手順について説明する。図２に示す光コネクタ５１−１〜５１−Ｍに接続されていた被測定光ファイバ１００を光入出力部１３に接続する。そして、光信号を通過しかつパルス光を遮断するように図１に示す波長可変光フィルタ１５の波長を設定し、波長可変光フィルタ１５からの光がＯＥ変換器１６ｂに出力されるように図１に示す波長可変光フィルタ１５の出力ポートを設定し、ＯＥ変換器１６ｂからの出力信号が周波数成分測定部２０に入力されるように図１に示す信号切り替え部２１を設定する。この状態で、被測定光ファイバ１００で伝送される光信号をＯＥ変換器１６ｂで光電変換し、周波数成分を周波数成分測定部２０で測定し、光信号のスペクトラムを信号処理部１８で求める。これにより、光無線システム評価装置１０１は、光信号のノイズの測定を行うことができる。
【００４７】
測定手順Ｓ１０１において被測定光ファイバ１００での光損失を求める手順について説明する。図２に示す光コネクタ５１−１〜５１−Ｍに接続されていた被測定光ファイバ１００を光入出力部１３に接続する。そして、パルス光源１１のパルス光を通過しかつ光信号を遮断するように図１に示す波長可変光フィルタ１５の波長を設定し、波長可変光フィルタ１５からの光がＯＥ変換器１６ａに出力されるように図１に示す波長可変光フィルタ１５の出力ポートを設定する。この状態で、光信号とは異なる波長のパルス光を被測定光ファイバ１００に出力し、被測定光ファイバ１００からのパルス光をＯＥ変換器１６ａで光電変換し、パルス光の発生に同期したタイミングの時間波形を時間波形測定部１９で測定し、被測定光ファイバ１００での光損失を信号処理部１８で求める。これにより、光無線システム評価装置１０１は、被測定光ファイバ１００での損失測定や破断点の検出を行うことができる。
【００４８】
受信信号比較手順Ｓ１０２では、無線信号のスペクトラムと光信号のスペクトラムを信号処理部１８で比較する。これにより、図２に示すＯＥ５２−１〜５２−Ｍからアンテナ３０で無線信号を受信するまでの間における光無線システムの評価を行うことができる。
【００４９】
なお、図１では、ＯＥ変換器１６が、波長ごとに異なるＯＥ変換器１６ａ及びＯＥ変換器１６ｂを備える構成としたが、これに限定されるものではない。図５に、実施形態１に係る光無線システム評価装置の第２例を示す。光無線システム評価装置１０２は、図１に示すＯＥ変換器１６ａ及びＯＥ変換器１６ｂに代えて共通のＯＥ変換器１６ｃを備え、ＯＥ変換器１６ｃの光電変換後の電気信号の出力先を時間波形測定部１９と信号切り替え部２１とで切り替える光切り替え部３９を備える。そして、図４に示す測定手順Ｓ１０１において、光無線システム評価装置１０１とは異なる以下の動作を行う。
【００５０】
図４に示す測定手順Ｓ１０１において光信号のスペクトラムを求める際に、波長可変光フィルタ１５からの光信号がＯＥ変換器１６ｃに出力されるように波長可変光フィルタ１５の出力ポートを設定し、ＯＥ変換器１６ｃからの光信号の光電変換信号が信号切り替え部２１に入力されるように光切り替え部３９を設定し、光切り替え部３９からの光信号の光電変換信号が周波数成分測定部２０に入力されるように信号切り替え部２１を設定する。この状態で、被測定光ファイバ１００で伝送される光信号をＯＥ変換器１６ｃで光電変換し、周波数成分を周波数成分測定部２０で測定し、光信号のスペクトラムを信号処理部１８で求める。これにより、光無線システム評価装置１０２は、光信号のノイズの測定を行うことができる。
【００５１】
図４に示す測定手順Ｓ１０１において被測定光ファイバ１００での光損失を求める際に、パルス光源１１のパルス光を通過しかつ光信号を遮断するように波長可変光フィルタ１５の波長を設定し、ＯＥ変換器１６ｃからのパルス光の光電変換信号が時間波形測定部１９に入力されるように光切り替え部３９を設定する。この状態で、光信号とは異なる波長のパルス光を被測定光ファイバ１００に出力し、被測定光ファイバ１００からのパルス光をＯＥ変換器１６ｃで光電変換し、パルス光源１１でのパルス光の発生に同期したタイミングの時間波形を時間波形測定部１９で測定し、被測定光ファイバ１００での光損失を信号処理部１８で求める。これにより、光無線システム評価装置１０２は、被測定光ファイバ１００での損失測定や破断点の検出を行うことができる。
【００５２】
（実施形態２）
図６に、実施形態２に係る光無線システム評価装置の第１例を示す。光無線システム評価装置１０３は、光無線システムの評価を行うために、無線信号のベースバンドＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号のスペクトラム、光信号のベースバンドＯＦＤＭ信号のスペクトラム及び被測定光ファイバ１００の光損失を１台の装置で求める。
【００５３】
光無線システム評価装置１０３は、図１に示す周波数成分測定部２０が、ベースバンド信号測定部２２を備える。信号切り替え部２１がアンテナ受信信号を選択出力する場合、ベースバンド信号測定部２２は、信号切り替え部２１の選択出力するアンテナ受信信号のベースバンドＯＦＤＭ信号の周波数成分を測定する。また、信号切り替え部２１が光信号の光電変換信号を選択出力する場合、ベースバンド信号測定部２２は、信号切り替え部２１の選択出力する光信号の光電変換信号のベースバンドＯＦＤＭ信号の周波数成分を測定する。
【００５４】
図７に、ベースバンド信号測定部２２の構成の一例を示す。ベースバンド信号測定部２２は、同期信号発生部２６と、ダウンコンバート部２３と、ＡＤ変換器２４と、周波数変換部２５と、を備える。
【００５５】
信号切り替え部２１がアンテナ受信信号を選択出力する場合について説明する。同期信号発生部２６は、信号切り替え部２１の選択出力するアンテナ受信信号からパイロット信号を検出し、検出するパイロット信号に合わせて、データのサンプリングのタイミングを示す同期信号を出力する。ダウンコンバート部２３は、信号切り替え部２１の選択出力するアンテナ受信信号をベースバンドＯＦＤＭ信号に変換して出力する。ダウンコンバート部２３は、例えば、発振器３３と、乗算器３４、３５と、９０°位相シフタ３８と、ＬＰＦ（Ｌｏｗ−Ｐａｓｓ  Ｆｉｌｔｅｒ）３６、３７とを備え、アンテナ受信信号又は光信号の光電変換信号を直交検波する。ＡＤ変換器２４は、ダウンコンバート部２３の出力するアンテナ受信信号のベースバンドＯＦＤＭ信号を、同期信号発生部２６からの同期信号に従ったタイミングでサンプリングしてデジタル信号に変換して出力する。周波数変換部２５は、例えばＦＦＴ（Ｆａｓｔ  Ｆｏｕｒｉｅｒ  Ｔｒａｎｓｆｏｒｍ）であり、ＡＤ変換器２４の出力するデジタル信号を周波数領域に変換してサブキャリアの周波数ごとに分離する。
【００５６】
信号切り替え部２１が光信号の光電変換信号を選択出力する場合について説明する。同期信号発生部２６は、信号切り替え部２１の選択出力する光信号の光電変換信号からパイロット信号を検出し、検出するパイロット信号に合わせて、データのサンプリングのタイミングを示す同期信号を出力する。ダウンコンバート部２３は、信号切り替え部２１の選択出力する光信号の光電変換信号をベースバンドＯＦＤＭ信号に変換して出力する。ＡＤ変換器２４は、ダウンコンバート部２３の出力する光信号の光電変換信号のベースバンドＯＦＤＭ信号を、同期信号発生部２６からの同期信号に従ったタイミングでサンプリングしてデジタル信号に変換して出力する。周波数変換部２５は、ＡＤ変換器２４の出力するデジタル信号をフーリエ変換して周波数領域に変換してサブキャリアの周波数ごとに分離する。
【００５７】
信号処理部１８は、測定部１７の測定データを解析する。例えば、時間波形測定部１９がパルス光の光電変換信号の時間波形を測定する場合、信号処理部１８は、時間波形測定部１９の測定するパルス光の光電変換信号の時間波形を用いて被測定光ファイバ１００での光損失を求め、測定データメモリ３２に出力する。ベースバンド信号測定部２２がアンテナ受信信号のベースバンドＯＦＤＭ信号の周波数成分を測定する場合、信号処理部１８は、ベースバンド信号測定部２２の測定するアンテナ受信信号のベースバンドＯＦＤＭ信号の周波数成分を用いて無線信号のベースバンドＯＦＤＭ信号のスペクトラムを求め、測定データメモリ３２に出力する。ベースバンド信号測定部２２が光信号の光電変換信号のベースバンドＯＦＤＭ信号の周波数成分を測定する場合、信号処理部１８は、ベースバンド信号測定部２２の測定する光信号の光電変換信号のベースバンドＯＦＤＭ信号の周波数成分を用いて光信号のベースバンドＯＦＤＭ信号のスペクトラムを求め、測定データメモリ３２に出力する。
【００５８】
信号処理部１８は、無線信号のベースバンドＯＦＤＭ信号のスペクトラムと光信号のベースバンドＯＦＤＭ信号のスペクトラムを比較してもよい。この場合、表示部３１は、無線信号のベースバンドＯＦＤＭ信号のスペクトラムと光信号のベースバンドＯＦＤＭ信号のスペクトラムの比較結果を表示する。例えば、表示部３１は、無線信号のベースバンドＯＦＤＭ信号のスペクトラムと光信号のベースバンドＯＦＤＭ信号のスペクトラムの両方を表示してもよいし、無線信号のベースバンドＯＦＤＭ信号のスペクトラムと光信号のベースバンドＯＦＤＭ信号のスペクトラムの差又は比を表示してもよい。これにより、図２に示すＯＥ５２−１〜５２−Ｍからアンテナ３０で無線信号を受信するまでの間におけるベースバンドＯＦＤＭ信号の評価を行うことができる。
【００５９】
図８は、実施形態２に係る光無線システム評価方法の一例を示すフローチャートである。実施形態２に係る光無線システム評価方法は、測定手順Ｓ１０１と、ベースバンド信号比較手順Ｓ１０３と、を順に有する。測定手順Ｓ１０１では、被測定光ファイバ１００での光損失を求めるとともに、無線信号及び光信号のベースバンドＯＦＤＭ信号のスペクトラムを求める。
【００６０】
測定手順Ｓ１０１において無線信号のスペクトラムを求める手順について説明する。アンテナ受信信号入力部４０からのアンテナ受信信号がベースバンド信号測定部２２に入力されるように図６に示す信号切り替え部２１を設定する。この状態で、図２に示すフロア９１内で光無線システム評価装置１０３を移動させながら、無線信号をアンテナ３０で受信し、アンテナ受信信号をダウンコンバート部２３でベースバンドＯＦＤＭ信号に変換し、ＡＤ変換器２４でデジタル信号に変換し、周波数変換部２５でデジタル信号をフーリエ変換して周波数領域に変換してサブキャリアの周波数ごとに分離し、無線信号のベースバンドＯＦＤＭ信号のスペクトラムを信号処理部１８で求める。これにより、光無線システム評価装置１０３は、フロア９１内での無線信号のベースバンドＯＦＤＭ信号の電界強度の測定を行うことができる。
【００６１】
測定手順Ｓ１０１において光信号のスペクトラムを求める手順について説明する。図２に示す光コネクタ５１−１〜５１−Ｍに接続されていた被測定光ファイバ１００を光入出力部１３に接続する。そして、光信号を通過しかつパルス光を遮断するように図６に示す波長可変光フィルタ１５の波長を設定し、波長可変光フィルタ１５からの光がＯＥ変換器１６ｂに出力されるように図６に示す波長可変光フィルタ１５の出力ポートを設定し、ＯＥ変換器１６ｂからの出力信号がベースバンド信号測定部２２に入力されるように図６に示す信号切り替え部２１を設定する。この状態で、被測定光ファイバ１００で伝送される光信号をＯＥ変換器１６ｂで光電変換し、光電変換した信号をダウンコンバート部２３でベースバンドＯＦＤＭ信号に変換し、ＡＤ変換器２４でデジタル信号に変換し、周波数変換部２５で周波数領域に変換してサブキャリアの周波数ごとに分離し、光信号のベースバンドＯＦＤＭ信号のスペクトラムを信号処理部１８で求める。これにより、光無線システム評価装置１０３は、光信号のベースバンドＯＦＤＭ信号のノイズの測定を行うことができる。
【００６２】
測定手順Ｓ１０１において被測定光ファイバ１００での光損失を求める手順について説明する。図２に示す光コネクタ５１−１〜５１−Ｍに接続されていた被測定光ファイバ１００を光入出力部１３に接続する。そして、パルス光源１１のパルス光を通過しかつ光信号を遮断するように図６に示す波長可変光フィルタ１５の波長を設定し、波長可変光フィルタ１５からの光がＯＥ変換器１６ａに出力されるように図６に示す波長可変光フィルタ１５の出力ポートを設定する。この状態で、光信号とは異なる波長のパルス光を被測定光ファイバ１００に出力し、被測定光ファイバ１００からのパルス光をＯＥ変換器１６ａで光電変換し、時間波形測定部１９でパルス光源１１でのパルス光の発生に同期したタイミングの時間波形を測定し、被測定光ファイバ１００での光損失を信号処理部１８で求める。これにより、光無線システム評価装置１０３は、被測定光ファイバ１００での損失測定や破断点の検出を行うことができる。
【００６３】
ベースバンド信号比較手順Ｓ１０３では、無線信号のベースバンドＯＦＤＭ信号のスペクトラムと光信号のベースバンドＯＦＤＭ信号のスペクトラムを比較する。これにより、図２に示すＯＥ５２−１〜５２−Ｍからアンテナ３０で無線信号を受信するまでの間におけるベースバンドＯＦＤＭ信号の評価を行うことができる。
【００６４】
なお、周波数成分測定部２０は、図１に示すスペクトラム測定部２８及びＡＤ変換器２９をさらに備えていてもよい。この場合、実施形態２に係る光無線システム評価方法では、さらに図４に示す受信信号比較手順Ｓ１０２を実行する。受信信号比較手順Ｓ１０２は、ベースバンド信号比較手順Ｓ１０３の後であってもよいし、ベースバンド信号比較手順Ｓ１０３の前であってもよいし、ベースバンド信号比較手順Ｓ１０３と同時に行ってもよい。
【００６５】
また、図６では、ＯＥ変換器１６が、波長ごとに異なるＯＥ変換器１６ａ及びＯＥ変換器１６ｂを備える構成としたが、これに限定されるものではない。図９に、実施形態２に係る光無線システム評価装置の第２例を示す。光無線システム評価装置１０４は、図６に示すＯＥ変換器１６ａ及びＯＥ変換器１６ｂに代えて共通のＯＥ変換器１６ｃを備え、ＯＥ変換器１６ｃの光電変換後の電気信号の出力先を時間波形測定部１９と信号切り替え部２１とで切り替える光切り替え部３９を備える。そして、図８に示す測定手順Ｓ１０１において、光無線システム評価装置１０３とは異なる以下の動作を行う。
【００６６】
図８に示す測定手順Ｓ１０１において光信号のスペクトラムを求める際に、波長可変光フィルタ１５からの光信号がＯＥ変換器１６ｃに出力されるように波長可変光フィルタ１５の出力ポートを設定し、ＯＥ変換器１６ｃからの光信号の光電変換信号が信号切り替え部２１に入力されるように光切り替え部３９を設定し、光切り替え部３９からの光信号の光電変換信号がベースバンド信号測定部２２に入力されるように信号切り替え部２１を設定する。この状態で、被測定光ファイバ１００で伝送される光信号をＯＥ変換器１６ｃで光電変換し、光電変換した信号をダウンコンバート部２３でベースバンドＯＦＤＭ信号に変換し、ＡＤ変換器２４でデジタル信号に変換し、周波数変換部２５で周波数領域に変換してサブキャリアの周波数ごとに分離し、光信号のベースバンドＯＦＤＭ信号のスペクトラムを信号処理部１８で求める。これにより、光無線システム評価装置１０４は、光信号のベースバンドＯＦＤＭ信号のノイズの測定を行うことができる。
【００６７】
図８に示す測定手順Ｓ１０１において被測定光ファイバ１００での光損失を求める際に、パルス光源１１のパルス光を通過しかつ光信号を遮断するように波長可変光フィルタ１５の波長を設定し、ＯＥ変換器１６ｃからのパルス光の光電変換信号が時間波形測定部１９に入力されるように光切り替え部３９を設定する。この状態で、光信号とは異なる波長のパルス光を被測定光ファイバ１００に出力し、被測定光ファイバ１００からのパルス光をＯＥ変換器１６ｃで光電変換し、時間波形測定部１９でパルス光源１１でのパルス光の発生に同期したタイミングの時間波形を測定し、信号処理部１８で被測定光ファイバ１００での光損失を求める。これにより、光無線システム評価装置１０４は、被測定光ファイバ１００での損失測定や破断点の検出を行うことができる。
【産業上の利用可能性】
【００６８】
本発明の光無線システム評価装置及び光無線システム評価方法は光無線システムの評価を行うことができるため、情報通信産業に利用することができる。
【符号の説明】
【００６９】
１１：パルス光源
１２：パルス信号発生部
１３：光入出力部
１４：方向性結合器
１５：波長可変光フィルタ
１６、１６ａ、１６ｂ、１６ｃ：ＯＥ変換器
１７：測定部
１８：信号処理部
１９：時間波形測定部
２０：周波数成分測定部
２１：信号切り替え部
２２：ベースバンド信号測定部
２３：ダウンコンバート部
２４：ＡＤ変換器
２５：周波数変換部
２６：同期信号発生部
２７：ＡＤ変換器
２８：スペクトラム測定部
２９：ＡＤ変換器
３０：アンテナ
３１：表示部
３２：測定データメモリ
３３：発振器
３４、３５：乗算器
３６、３７：ＬＰＦ
３８：９０°位相シフタ
３９：光切り替え部
４０：アンテナ受信信号入力部
４１：サンプリングクロック生成部
５１−１、５１−２、５１−３、５１−４、５１−（Ｍ−１）、５１−Ｍ：光コネクタ
５２−１、５２−２、５２−３、５２−４、５２−（Ｍ−１）、５２−Ｍ：ＯＥ
５３−１、５３−２、５３−３、５３−４、５３−（Ｍ−１）、５３−Ｍ：ＰＡ
９１：フロア
１００：被測定光ファイバ
１０１、１０２、１０３、１０４：光無線システム評価装置
【図１】
2011158445.tif 000003
【図２】
2011158445.tif 000004
【図３】
2011158445.tif 000005
【図４】
2011158445.tif 000006
【図５】
2011158445.tif 000007
【図６】
2011158445.tif 000008
【図７】
2011158445.tif 000009
【図８】
2011158445.tif 000010
【図９】
2011158445.tif 000011